(57)【要約】【課題】男性が着座したままで小用を足した場合に、男性の局所を洗浄することができる温水洗浄便座を提供する。【解決手段】着座者のおしりを洗浄する第１ノズルと、着座した女性の局所を洗浄する第２ノズルとを有する温水洗浄便座において、着座した男性の局所を洗浄する第３ノズルを有することを特徴としている。【選択図】図1
0003159078.tif 000002
【実用新案登録請求の範囲】
【請求項１】
着座者のおしりを洗浄する第１ノズルと、着座した女性の局所を洗浄する第２ノズルとを有する温水洗浄便座において、
着座した男性の局所を洗浄する第３ノズルを有することを特徴とする温水洗浄便座。
【請求項２】
第１ノズルが第３ノズルを兼ねており、着座者のおしりに対応する位置までノズルを移動させることによって第１ノズルとして機能させ、着座した男性の局所に対応する位置までノズルを移動させることによって第３ノズルとして機能させるノズル移動機構を有することを特徴とする請求項１に記載の温水洗浄便座。
【請求項３】
第３ノズルとして機能する場合の吐出水量を、第１ノズルとして機能する場合の吐出水量よりも少なく設定する吐出水量設定手段を有していることを特徴とする請求項２に記載の温水洗浄便座。
【請求項４】
請求項１から請求項３の何れかの温水洗浄便座が便器と一体的に設けられてあることを特徴とする温水洗浄便座一体型便器。
【考案の詳細な説明】
【技術分野】
【０００１】
本考案は、温水洗浄便座に関し、さらに詳細にいえば、着座者のおしり、着座した女性の局所のみならず、着座した男性の局所をも洗浄することができる新規な温水洗浄便座、及びこの温水洗浄便座を一体化してなる温水洗浄便座一体型便器に関する。
【背景技術】
【０００２】
従来から、洋風便器に設置して温水によって肛門を洗浄する機能を持つ便座（温水洗浄便座）が提案され、実用化されている。
このような温水洗浄便座としては、肛門を洗浄する機能及び女性の局所を洗浄する機能を有するものが一般化し、一般家庭のトイレ、公共のトイレで広く採用されるようになってきている（例えば、特許文献１参照）。
特許文献１に記載された温水洗浄便座は、おしりを洗浄する洗浄ノズルと、着座した女性の局所を洗浄する洗浄ノズルを有するものである。
この構成の温水洗浄便座を採用した場合には、男女を問わず、大用を足した場合には、おしりを洗浄する洗浄ノズルを動作させることによって、肛門を含む所定範囲を洗浄することができる。また、女性が小用を足した場合には、女性の局所を洗浄する洗浄ノズルを動作させることによって、陰部を含む所定範囲を洗浄することができる。
しかし、男性の陰部を洗浄することができる洗浄ノズルは設けられていないので、男性が着座したままで小用を足した場合においては、陰部を洗浄することは不可能であった。
この結果、パンツに残尿によるしみがついてしまうという不都合を生じる。
【０００３】
この点をさらに説明する。
かっては、男性の殆どが立って小用を足していたが、近年に至って、温水洗浄便座の普及率の増加と相俟って、座って小用を足す男性の割合が増加してきており、関東・関西在住の30歳代〜50歳代の夫婦に小便スタイルのアンケート調査を実施したところ、約５０％の男性が座って小用を足していることがわかった。この調査結果から分かるように、座って小用を足す男性は、ごく一部の男性ではなく、かなり多数に達している。
そして、男性が着座したままで小用を足した場合には、必然的に多少の残尿が生じているのであるから、その後に着衣を元通りに直した場合には、パンツに残尿によるしみがついてしまうことになる。
また、残尿の量が多い場合、小用を足す時間間隔が短い場合等には、パンツのみならず、ズボンにも残尿によるしみがついてしまうことになる。
また、男性の老人を介護する場合であって、寝たきり老人でない場合には、老人をトイレまで案内し、もしくは付き添い、温水洗浄便座に座って小用を足してもらうことが一般的である。
この場合には、おしっこのきれが悪くなっているだけでなく、残尿が増加していることが多いので、介護者にとっては、小用の後始末に手間がかかってしまうことになる。また、手間をかけて小用の後始末を行ったとしても、通常は紙（トイレットペーパー）を用いて拭くだけであるから、男性の排尿器官をすっきりときれいにすることはできなかった。
さらに、介護を受けていない男性の老人であっても、前立腺肥大等によって、おしっこのきれが悪くなっている場合には、小用を足した後であっても、爽快感をおぼえることが殆どなく、不快感をおぼえたままであることが多い。さらにまた、常に尿意をおぼえているので、排尿の時間間隔が短くなってしまい、排尿の都度、上記の不都合が生じてしまう。
【先行技術文献】
【特許文献】
【０００４】
【特許文献１】特開２００２−２１１５２号公報
【考案の概要】
【考案が解決しようとする課題】
【０００５】
本考案が解決しようとする課題は、以下の通りである。
○本考案が解決しようとする第１課題
本考案が解決しようとする第１課題は、男性が着座したままで小用を足した場合に、男性の局所を洗浄することができる温水洗浄便座を提供することである。
○本考案が解決しようとする第２課題
本考案が解決しようとする第２課題は、男性が着座したままで小用を足した場合に、男性の局所を洗浄することができる温水洗浄便座一体型便器を提供することである。
○本考案が解決しようとする第３課題
本考案が解決しようとする第３課題は、介護者が付き添った状態で男性が着座したままで小用を足した場合に、介護者による小用の後始末を簡単にすることができる温水洗浄便座を提供することである。
○本考案が解決しようとする第４課題
本考案が解決しようとする第４課題は、介護者が付き添った状態で男性が着座したままで小用を足した場合に、介護者による小用の後始末を簡単にすることができる温水洗浄便座一体型便器を提供することである。
○本考案が解決しようとする第５課題
本考案が解決しようとする第５課題は、全体としてのノズルの数の増加を未然に防止することができる温水洗浄便座を提供することである。
○本考案が解決しようとする第６課題
本考案が解決しようとする第６課題は、全体としてのノズルの数の増加を未然に防止することができる温水洗浄便座一体型便器を提供することである。
○本考案が解決しようとする第７課題
本考案が解決しようとする第７課題は、男性の局所を洗浄する場合の温水の噴出量を、おしりを洗浄する場合の温水の噴出量よりも少なくすることができる温水洗浄便座を提供することである。
○本考案が解決しようとする第８課題
本考案が解決しようとする第８課題は、男性の局所を洗浄する場合の温水の噴出量を、おしりを洗浄する場合の温水の噴出量よりも少なくすることができる温水洗浄便座一体型便器を提供することである。
【課題を解決するための手段】
【０００６】
課題を解決するための手段は、本願の[実用新案登録請求の範囲]の各請求項に記載された考案である。
実用新案登録請求の範囲、明細書、図面等の用語の解釈上の疑義を解消すべく、以下、用語の説明を行うこととする。
＜用語の説明＞
○「ノズル」とは、温水を上向きに噴出させることによって洗浄を達成するものである。そして、温水を噴出させるための噴出孔を１つ、もしくは複数個有している。また、温水の噴出方向は、鉛直上向きであってもよいが、鉛直上向きを基準として所定角度傾いた方向であってもよい。温水の噴出方向は、全てのノズルについて同じ方向に設定してもよいが、ノズル毎に異なる方向に設定してもよい。
○「洗浄する」とは、残留する排泄物を洗い流すことを意味する用語として使用されるものである。
○「おしり」とは、肛門を含む所定範囲を意味する用語として使用されるものであり、臀部の全範囲を意味するわけではない。
○「女性の局所」とは、女性の排尿器官を含む所定範囲を意味する用語として使用されるものである。
○「男性の局所」とは、男性の排尿器官を意味する用語として使用されるものであり、より正確には、男性の排尿器官の先端部を意味する用語として使用されるものである。
○「おしりに対応する位置」とは、ノズルから噴出される温水がおしりに到達するノズルの位置であり、温水の噴出方向、噴出速度等を考慮することにより定められる。
○「男性の局所に対応する位置」とは、ノズルから噴出される温水が男性の局所に到達するノズルの位置であり、温水の噴出方向、噴出速度等を考慮することにより定められる。
○「第１ノズルが第３ノズルを兼ねる」とは、第１ノズルにより、第３ノズルとしての機能を達成させることができることを意味する用語として使用されるものである。
【０００７】
本考案者は、上記の従来技術が有する各種の問題点に鑑み、鋭意研究を重ねて、本考案を完成した。
本考案者が、本考案が解決しようとする課題の重要性に気付く契機となったのは、従来技術の問題点を生じる最大の原因が、男性の局所を洗浄できるようにする必要性に気付いていなかったことである。
課題を解決するための手段は、本願の実用新案登録請求の範囲の各請求項に記載の考案であり、その具体的な解決手段は、以下の通りである。
【０００８】
○第１の考案（請求項１に記載の考案）
上記の課題を解決するための第１の考案（請求項１に記載の考案）は、
着座者のおしりを洗浄する第１ノズルと、着座した女性の局所を洗浄する第２ノズルとを有する温水洗浄便座において、
着座した男性の局所を洗浄する第３ノズルを有することを特徴とする温水洗浄便座である。
○第２の考案（請求項２に記載の考案）
上記の課題を解決するための第２の考案（請求項２に記載の考案）は、
第１ノズルが第３ノズルを兼ねており、着座者のおしりに対応する位置までノズルを移動させることによって第１ノズルとして機能させ、着座した男性の局所に対応する位置までノズルを移動させることによって第３ノズルとして機能させるノズル移動機構を有することを特徴とする請求項１に記載の温水洗浄便座である。
○第３の考案（請求項３に記載の考案）
上記の課題を解決するための第３の考案（請求項３に記載の考案）は、
第３ノズルとして機能する場合の吐出水量を、第１ノズルとして機能する場合の吐出水量よりも少なく設定する吐出水量設定手段を有していることを特徴とする請求項２に記載の温水洗浄便座である。
○第４の考案（請求項４に記載の考案）
上記の課題を解決するための第４の考案（請求項４に記載の考案）は、
請求項１から請求項３の何れかの温水洗浄便座が便器と一体的に設けられてあることを特徴とする温水洗浄便座一体型便器である。
【考案の効果】
【０００９】
○第１の考案の効果
第１の考案によれば、
着座者のおしりを洗浄する第１ノズルと、着座した女性の局所を洗浄する第２ノズルとを有する温水洗浄便座において、
着座した男性の局所を洗浄する第３ノズルを有する
という特徴的な構成要件により、
男性が着座したままで小用を足した場合に、第３ノズルを動作させることによって、男性の局所を洗浄することができる。この結果、男性の局所をすっきりと清潔にすることができるとともに、残尿の影響を効果的に排除することができる。
また、介護者が付き添った状態で、男性が着座したままで小用を足した場合に、第３ノズルを動作させることによって、男性の局所を洗浄することができる。この結果、男性の局所をすっきりと清潔にすることができるとともに、残尿の影響を効果的に排除することができる。したがって、その後の、介護者による小用の後始末を、不快感をおぼえることなく、簡単に達成することができる。
さらに、介護を受けていないけれども、前立腺肥大等によって、おしっこのきれが悪くなっている男性が小用を足した場合に、男性の局所を洗浄することによって、爽快感を高めることができる。もちろん、残尿の影響を効果的に排除することができる。
すなわち、本考案が解決しようとする第１課題、第３課題を達成することができ、当業者予測不可能な顕著な効果を奏することができた。
○第２の考案の効果
第２の考案によれば、
第１ノズルが第３ノズルを兼ねており、着座者のおしりに対応する位置までノズルを移動させることによって第１ノズルとして機能させ、着座した男性の局所に対応する位置までノズルを移動させることによって第３ノズルとして機能させるノズル移動機構を有する
という特徴的な構成要件により、
ノズルの数を増加させることなく、第３ノズルとしての機能を実現することができ、ノズル全体としての大型化、複雑化を未然に防止することができる。
すなわち、本考案が解決しようとする第５課題を達成することができ、当業者予測不可能な顕著な効果を奏することができた。
【００１０】
○第３の考案の効果
第３の考案によれば、
第３ノズルとして機能する場合の吐出水量を、第１ノズルとして機能する場合の吐出水量よりも少なく設定する吐出水量設定手段を有している
という特徴的な構成要件により、
男性の局所を洗浄する場合の温水の噴出量を、おしりを洗浄する場合の温水の噴出量よりも少なくすることができ、温水の使用量を少なくすることができる。
すなわち、本考案が解決しようとする第７課題を解決することができ、当業者予測不可能な顕著な効果を奏することができた。
【００１１】
○第４の考案の効果
第４の考案によれば、
請求項１から請求項３の何れかの温水洗浄便座が便器と一体的に設けられてある
という特徴的な構成要件により、
男性が着座したままで小用を足した場合に、第３ノズルを動作させることによって、男性の局所を洗浄することができる。この結果、男性の局所をすっきりと清潔にすることができるとともに、残尿の影響を効果的に排除することができる。
また、介護者が付き添った状態で、男性が着座したままで小用を足した場合に、第３ノズルを動作させることによって、男性の局所を洗浄することができる。この結果、男性の局所をすっきりと清潔にすることができるとともに、残尿の影響を効果的に排除することができる。したがって、その後の、介護者による小用の後始末を、不快感をおぼえることなく、簡単に達成することができる。
さらに、介護を受けていないけれども、前立腺肥大等によって、おしっこのきれが悪くなっている男性が小用を足した場合に、男性の局所を洗浄することによって、爽快感を高めることができる。もちろん、残尿の影響を効果的に排除することができる。
さらにまた、ノズルの数を増加させることなく、第３ノズルとしての機能を実現することができ、ノズル全体としての大型化、複雑化を未然に防止することができる。
さらにまた、男性の局所を洗浄する場合の温水の噴出量を、おしりを洗浄する場合の温水の噴出量よりも少なくすることができ、温水の使用量を少なくすることができる。
すなわち、本考案が解決しようとする第２課題、第４課題、第６課題、第８課題を達成することができ、当業者予測不可能な顕著な効果を奏することができた。
【図面の簡単な説明】
【００１２】
【図１】本考案の温水洗浄便座の一実施形態を概略的に示す斜視図である。
【図２】図１の温水洗浄便座を概略的に示す中央縦断側面図である。
【図３】温水洗浄便座の動作を概略的に示す中央縦断側面図である。
【図４】図１の温水洗浄便座の操作パネルを概略的に示す平面図である。
【図５】図１の温水洗浄便座における温水の流れを説明する概略図である。
【図６】図１の温水洗浄便座の電気的構成を概略的に示すブロック図である。
【図７】図１の温水洗浄便座の動作を概略的に説明するフローチャートである。
【図８】本考案の温水洗浄便座一体型便器の一実施形態を概略的に示す斜視図である。
【考案を実施するための形態】
【００１３】
以下、添付図面を参照して、本考案の温水洗浄便座、及び温水洗浄便座一体型便器の実施の形態を詳細に説明する。
第１の考案の温水洗浄便座は、
着座者のおしりを洗浄する第１ノズルと、着座した女性の局所を洗浄する第２ノズルとを有する温水洗浄便座において、
着座した男性の局所を洗浄する第３ノズルを有することを特徴としている。
第２の考案の温水洗浄便座は、
第１ノズルが第３ノズルを兼ねており、着座者のおしりに対応する位置までノズルを移動させることによって第１ノズルとして機能させ、着座した男性の局所に対応する位置までノズルを移動させることによって第３ノズルとして機能させるノズル移動機構を有することを特徴としている。
第３の考案の温水洗浄便座は、
第３ノズルとして機能する場合の吐出水量を、第１ノズルとして機能する場合の吐出水量よりも少なく設定する吐出水量設定手段を有していることを特徴としている。
第４の考案の温水洗浄便座一体型便器は、
請求項１から請求項３の何れかの温水洗浄便座が便器と一体的に設けられてあることを特徴としている。
【００１４】
[図１]は、本考案の温水洗浄便座の一実施形態を概略的に示す斜視図である。
[図２]は、図１の温水洗浄便座を概略的に示す中央縦断側面図である。
[図４]は、図１の温水洗浄便座の操作パネルを概略的に示す平面図である。
この温水洗浄便座は、便鉢ＢＢの上縁部に支承される便座本体ＢＭと、便座本体ＢＭを覆う便座カバーＢＣと、便座本体ＢＭの所定位置に設けられた第１ノズルＮ１、第２ノズルＮ２、第３ノズルＮ３と、各ノズルから噴出させるための温水を貯留する温水タンクＷＴと、温水を選択的に何れかのノズルに供給するための配管ＷＰと、何れのノズルから温水を噴出させるべきかを指示する操作スイッチを有する操作パネルＯＰ（図１には図示せず）とを有している。
便座本体ＢＭは、便鉢ＢＢの所定位置に固定的に設けられる便座基部ＢＭ１に対して上方に回動できるように連結されており、男性が立ったままで小用を足す場合には便座本体ＢＭを上方に回動させておき、逆に、大用を足す場合、または男性が着座したままで小用を足す場合には、便座本体ＢＭを、便鉢ＢＢに支承される状態まで回動させておくことができる。また、便座本体ＢＭは、Ｏ形であることが一般的であるが、Ｕ形であってもよい。
便座カバーＢＣは、便座基部ＢＭ１に対して上方に回動できるように連結されており、便座本体ＢＭを覆う状態と、便座本体ＢＭ又は便鉢ＢＢを開放する状態とを選択することができる。
【００１５】
第１ノズル(おしり洗浄ノズル)Ｎ１は、着座者のおしりを洗うためのものであり、着座者の肛門を含む所定範囲に向かって温水を噴出させることによって、その範囲に残留している排泄物を洗い流すことができるようにしてある。換言すれば、第１ノズルＮ１からの温水の噴出速度、噴出角度などを考慮して、温水が正確に肛門を含む所定範囲に到達するように、第１ノズルＮ１の温水噴出口の位置が設定されている。
第２ノズル（ビデ洗浄ノズル）Ｎ２は、着座した女性の局所を洗うためのものであり、着座した女性の排尿器官を含む所定範囲に向かって温水を噴出させることによって、その範囲に残留している排泄物を洗い流すことができるようにしてある。換言すれば、第２ノズルＮ２からの温水の噴出速度、噴出角度などを考慮して、温水が正確に排尿器官を含む所定範囲に到達するように、第２ノズルＮ２の温水噴出口の位置が設定されている。
第３ノズル（ペニス洗浄ノズル）Ｎ３は、着座したままで小用を足す男性の局所を洗うためのものであり、着座したままで小用を足す男性の排尿器官を含む所定範囲に向かって温水を噴出させることによって、その範囲に残留している排泄物を洗い流すことができるようにしてある。換言すれば、第３ノズルＮ３からの温水の噴出速度、噴出角度などを考慮して、温水が正確に排尿器官を含む所定範囲に到達するように、第３ノズルＮ３の温水噴出口の位置が設定されている。
温水タンクＷＴは、水道水等の供給を受け、図示しないヒーターによって水道水を加熱して、適温の温水を得て貯留するものである。
配管ＷＰは、所定位置にポンプＷＰ１を有しているとともに、切り替え弁ＷＰ２を有しており、切り替え弁ＷＰ２により選択されたノズルに対して、ポンプＷＰ１によって温水を供給することができる。
【００１６】
操作パネルＯＰは、図４に示すように、第１ノズルＮ１、第２ノズルＮ２、第３ノズルＮ３の動作を指示する動作指示スイッチＳ１、Ｓ２、Ｓ３と、ノズルの動作の停止を指示する停止指示スイッチＳ４とを有している。また、温水の噴出強度を指示する噴出強度指示スイッチＳ５、便座の加温を指示する加温指示スイッチＳ６等を有している。そして、この操作パネルＯＰは、ケーブルを介して便座基部ＢＭ１に収納されたコントローラ（図示せず）と接続されていてもよいが、無線で便座基部に収納されたコントローラ（図示せず）と接続されていてもよい。
また、第１ノズルＮ１、第２ノズルＮ２、第３ノズルＮ３は、上記の動作位置と、図示しない格納位置との間を往復動するように、もしくは伸縮するように構成されていることが好ましく、不使用時に排泄物等により汚されてしまうという不都合の発生を未然に防止することができる。
[図６]は、図１の温水洗浄便座の電気的構成を概略的に示すブロック図である。
動作指示スイッチＳ１、Ｓ２、Ｓ３、停止指示スイッチＳ４、噴出強度指示スイッチＳ５、加温指示スイッチＳ６等からの指示信号を便座基部ＢＭ１に収納されたコントローラＢＭＣに供給し、コントローラＢＭＣにおいては、供給された指示信号に基づいて、予め設定されている動作判定アルゴリズムに基づく処理を行い、ノズル駆動源（ノズルの温水噴出口を移動させるための駆動源）、切り替え弁ＷＰ２、ポンプＷＰ１、水道水を加熱するためのヒーターを動作させるための動作指示信号を出力する。
【００１７】
上記の構成の温水洗浄便座の作用は次の通りである。
動作指示スイッチＳ１を操作したことに伴う第１ノズルＮ１による洗浄動作、及び動作指示スイッチＳ２を操作したことに伴う第２ノズルＮ２による洗浄動作は、従来公知であるから、詳細な説明を省略する。
動作指示スイッチＳ３を操作したことに伴う第３ノズルＮ３による洗浄動作は、次の通りである。
先ず、第３ノズルＮ３を前進させて、着座したままで小用を足す男性の排尿器官に対応する位置まで温水噴出口を移動させる。ここで、第３ノズルＮ３を前進させるに当たっては、方向、及び距離を予め設定しておき、この設定値に基づいて第３ノズルＮ３を前進させてもよいが、第３ノズルＮ３の温水噴出口の近傍に光センサーなどを設けておいて、光センサーが着座したままで小用を足す男性の排尿器官を検出するまで第３ノズルＮ３を前進させるように構成しておくことが好ましく、個人差の影響を排除して、着座したままで小用を足す男性の排尿器官に対応する位置まで温水噴出口を正確に移動させることができる。
また、上記の動作と並行して、もしくは上記の動作の前後に、切り替え弁ＷＰ２を動作させて、温水が第３ノズルＮ３に供給される状態となるように、配管ＷＰの温水供給経路を設定する。
その後、ポンプＷＰ１を動作させることによって、温水タンクＷＴの温水を第３ノズルＮ３に供給し、図３に示すように、温水噴出口から噴出される温水によって、着座したままで小用を足す男性の排尿器官を含む所定範囲を洗浄することができる。
この結果、介護者が付き添った男性が小用を足した場合には、着座したままで小用を足す男性の排尿器官を含む所定範囲が温水により洗浄されるので、介護者による後始末を大幅に簡単化することができるとともに、清潔感、爽快感等を大幅に向上させることができる。
また、前立腺肥大等に起因して小用を足した後に不快感が残る男性が着座したままで小用を足した場合には、排尿器官を含む所定範囲が温水により洗浄されるので、不快感を解消させることができ、爽快感を大幅に向上させることができる。
【００１８】
以上から分かるように、従来は、温水洗浄便座でありながら、着座したままで小用を足した男性の排尿器官を洗浄することができなかったのを、本考案を採用することによって、初めて、着座したままで小用を足した男性の排尿器官を洗浄することができるようになった。
上記の実施形態においては、３つのノズルＮ１、Ｎ２、Ｎ３を有する構成を採用している。しかし、この構成に代えて、第１ノズルＮ１によって第３ノズルＮ３の機能を実現できるように構成し、ノズルの数を２つだけにすることが可能である。
この場合には、第１ノズルＮ１の温水噴出口が、格納位置、着座したままで大用を足した人のおしりに対応する位置、着座したままで小用を足した男性の排尿器官に対応する位置に選択的に移動されるように構成しておくことになる。なお、このように温水噴出口を移動させるための機構としては、ラックアンドピニオン機構などのように第１ノズルＮ１自体を移動させるための機構、第１ノズルＮ１自体を伸縮させるための機構などが例示できる。そして、この機構による温水噴出口の位置を正確に設定するために、第１ノズルＮ１のうち、温水噴出口に近接する所定位置に、光センサー等を設けておき、光センサー等によりおしり、男性の排尿器官を検出するまで、温水噴出口を移動させることが好ましく、個人差の影響を排除して、温水噴出口の正確な位置決めを達成することができる。
【００１９】
次いで、図７を参照して、温水洗浄便座の動作をさらに説明する。
[図７]は、図１の温水洗浄便座の動作を概略的に説明するフローチャートである。
なお、図７においては、動作指示スイッチＳ１、Ｓ２、Ｓ３の何れかが操作された場合を説明する。
ステップＳＰ１において、動作指示スイッチＳ２が操作されたか否かを判定し、動作指示スイッチＳ２が操作されたと判定された場合には、ステップＳＰ２において、第２ノズルＮ２を動作位置（女性の局所に対応する位置）まで移動させ、ステップＳＰ３において、ポンプＷＰ１及び切り替え弁ＷＰ２を動作させて第２ノズルＮ２の温水噴出口から温水を噴出させ、女性の局所を洗浄する。
ステップＳＰ１において動作指示スイッチＳ２は操作されていないと判定された場合には、ステップＳＰ４において、動作指示スイッチＳ１が操作されたか否かを判定し、動作指示スイッチＳ１が操作されたと判定された場合には、ステップＳＰ５において、第１ノズルＮ１を動作位置（着座者の肛門に対応する位置）まで移動させ、ステップＳＰ６において、ポンプＷＰ１及び切り替え弁ＷＰ２を動作させて第１ノズルＮ１の温水噴出口から温水を噴出させ、着座者のおしりを洗浄する。
ステップＳＰ４において、動作指示スイッチＳ１が操作されていないと判定された場合には、ステップＳＰ７において、第３ノズルＮ３を動作位置（着座したままで小用を足した男性の排尿器官に対応する位置）まで移動させ、ステップＳＰ８において、ポンプＷＰ１及び切り替え弁ＷＰ２を動作させて第３ノズルＮ３の温水噴出口から温水を噴出させ、着座したままで小用を足した男性の局所を洗浄する。なお、フローチャートには示されていないが、ステップＳＰ８における温水の噴出量を、ステップＳＰ３、ＳＰ６における温水の噴出量よりも少なく設定する。この温水噴出量設定処理は、噴出強度指示スイッチＳ５の操作に伴って行われる温水噴出量設定処理とは別に行われる。
【００２０】
ステップＳＰ３、ＳＰ６、ＳＰ８の何れかの処理が行われた場合には、ステップＳＰ９において、停止指示スイッチＳ４が操作されるまで待ち、ステップＳＰ１０において、ポンプＷＰ１を停止させて温水の噴出を停止させ、ステップＳＰ１１において、該当するノズルを待機位置まで移動させ、そのまま一連の処理を終了する。
この結果、操作した動作指示スイッチに応じた洗浄動作を行うことができ、停止指示スイッチの操作により、洗浄動作を終了させることができる。
[図８]は、本考案の温水洗浄便座一体型便器の一実施形態を概略的に示す斜視図である。
図８が図１と異なる点は、図１においては破線で示されていた便鉢ＢＢが図８においては実線で示されている点のみである。
したがって、図１の実施形態では、温水洗浄便座のみで持ち運びが可能であり、サイズ等の要件が許せば、任意の便鉢ＢＢに装着可能である。
これに対して、図８の実施形態では、温水洗浄便座が特定の便鉢ＢＢに装着されたものである。
したがって、図８の実施形態の構成、作用等は、上記の実施形態の説明を参照することにより容易に理解できるので、説明を省略する。
【符号の説明】
【００２１】
ＢＢ    便鉢
ＢＭ    便座本体
ＢＭ１  便座基部
ＢＣ    便座カバー
Ｎ１    第１ノズル
Ｎ２    第２ノズル
Ｎ３    第３ノズル
ＷＴ    温水タンク
ＷＰ    配管
ＷＰ１  ポンプ
ＷＰ２  切り替え弁
ＯＰ    操作パネル
Ｓ１    動作指示スイッチ
Ｓ２    動作指示スイッチ
Ｓ３    動作指示スイッチ
Ｓ４    停止指示スイッチ
Ｓ５    噴出強度指示スイッチ
Ｓ６    加温指示スイッチ
ＢＭＣ  コントローラ
【図１】
0003159078.tif 000003
【図２】
0003159078.tif 000004
【図３】
0003159078.tif 000005
【図４】
0003159078.tif 000006
【図５】
0003159078.tif 000007
【図６】
0003159078.tif 000008
【図７】
0003159078.tif 000009
【図８】
0003159078.tif 000010